(57)【特許請求の範囲】
【請求項１】
冷媒と被加熱流体との間で熱交換を行なう第１熱交換器と、冷媒と空気との間で熱交換を行なう第２熱交換器と、前記第２熱交換器と前記第１熱交換器との間に設けられ、前記第２熱交換器から送られた冷媒を圧縮する圧縮機とを有し、ヒートポンプサイクルを構成する冷媒回路と、
発熱を伴う電気部品を有し、前記冷媒回路の動作を制御するための制御部とを備え、
前記冷媒回路は、前記第２熱交換器から冷媒が供給され、その冷媒を再び前記第２熱交換器に戻す中間配管をさらに有し、
前記中間配管の経路上に設けられ、前記中間配管を流通する冷媒によって前記電気部品を冷却する冷却部と、
前記第１熱交換器に向けて被加熱流体を供給する流体供給配管を有し、被加熱流体が流れる流体回路とをさらに備え、
前記冷却部は、前記流体供給配管の経路上に設けられ、さらに前記流体供給配管を流通する被加熱流体によって前記電気部品を冷却し、
前記冷媒回路は、前記第１熱交換器と前記第２熱交換器との間に設けられ、前記第１熱交換器から送られた冷媒を減圧する減圧器をさらに有し、
前記冷媒回路は、前記第２熱交換器の除霜運転時には、前記第１熱交換器から送られた冷媒を減圧することなく前記第２熱交換器に供給するように設けられ、
前記中間配管は、前記冷媒回路を流れる冷媒の経路上において、前記第２熱交換器に冷媒が流入する位置よりも前記第２熱交換器から冷媒が流出する位置に近い側に設けられ、
前記流体回路は、前記第２熱交換器の除霜運転時には、前記第１熱交換器への被加熱流体の供給を停止するように設けられる、ヒートポンプ式加熱装置。
【請求項２】
前記中間配管は、前記冷却部に配索されるメイン配管と、前記第２熱交換器から供給された冷媒を前記冷却部を介さず前記第２熱交換器に戻す第１バイパス配管とを含む、請求項１に記載のヒートポンプ式加熱装置。
【請求項３】
前記制御部は、前記電気部品を収容する筐体をさらに有し、
前記筐体の表面には、前記冷却部が熱的に接続される、請求項１または２に記載のヒートポンプ式加熱装置。
【発明の詳細な説明】
【技術分野】
【０００１】
この発明は、一般的には、ヒートポンプ式加熱装置に関し、より特定的には、ヒートポンプ式給湯機に関する。
【背景技術】
【０００２】
従来のヒートポンプ式加熱装置に関して、たとえば、特開２０１０−１７５２２４号公報には、電装品モジュールの近傍に冷媒通路が配設されても、当該電装品モジュールに実装された電装品が濡れ難いことを目的とした空気調和機が開示されている（特許文献１）。
【０００３】
特許文献１に開示された空気調和機は、冷媒が循環することにより、蒸気圧縮式の冷凍サイクルを行なう冷媒回路を備える。冷媒回路には、主に、室内熱交換器、圧縮機、油分離器、室外熱交換器、膨張弁、アキュムレータおよび四方切換弁が設けられている。空気調和機は、パワー素子が実装された各種の回路基板を有する電装品モジュールと、パワー素子を冷却する冷却ジャケットとをさらに備える。冷却ジャケットは、冷媒回路における室外熱交換器と膨張弁との間の液側配管に接合されている。冷媒ジャケットに接合された配管には、冷房運転時には、室外熱交換器で凝縮された冷媒が流れ、暖房運転時には、室内熱交換器で凝縮し、膨張弁で減圧された冷媒が流れる。
【０００４】
また、特開２００８−５７８５６号公報には、空気調和機の電気部品の冷却を確保し、外気温が上昇しても十分な冷房能力を得ることができ、電気部品への水分や異物の侵入を防止して、信頼性をより高めることを目的とした空気調和機が開示されている（特許文献２）。
【０００５】
特許文献２に開示された空気調和機においては、圧縮機と、室外熱交換器と、膨張弁と、室内熱交換器とを環状に接続して、冷媒回路が構成されている。室外機の電気部品が収められた電装箱の表面には、冷媒回路の低圧側配管が密接して設けられている。
【先行技術文献】
【特許文献】
【０００６】
【特許文献１】特開２０１０−１７５２２４号公報
【特許文献２】特開２００８−５７８５６号公報
【発明の概要】
【発明が解決しようとする課題】
【０００７】
上述の特許文献に開示されるように、空気調和機には、冷媒回路の動作を制御する電装品もしくは電気部品が備えられる。これらの電装品もしくは電気部品は、冷媒回路の動作に伴って発熱するため、冷媒回路を流れる冷媒を利用して電装品もしくは電気部品を冷却している。
【０００８】
たとえば、特許文献１に開示された空気調和機においては、冷媒回路上の室外熱交換器と膨張弁との間に、電装品を冷却するための冷却ジャケットが設けられる。しかしながら、このような構成では、空気調和機の冷房運転時に、冷媒が冷却ジャケットに流れる冷媒の温度が４０〜４５℃程度となるため、効率的に電装品を冷却することができない。
【０００９】
また、特許文献２に開示された空気調和機においては、冷媒回路上の膨張弁と室内側熱交換器との間から分岐され、冷媒回路上の室内側熱交換器と圧縮機との間に戻される冷却管が設けられている。しかしながら、このような構成では、冷却管が、圧縮機の流入側の配管に直接、接続されているため、圧縮機で発生する振動の影響を大きく受ける。このため、冷却管に防振の配慮が必要となり、空気調和機の部品点数が増えたり、構造が複雑化したりする懸念が生じる。
【００１０】
そこでこの発明の目的は、上記の課題を解決することであり、簡易な構成で、冷媒回路の動作を制御するための制御部に備えられる電気部品を効率的に冷却するヒートポンプ式加熱装置を提供することである。
【課題を解決するための手段】
【００１１】
この発明に従ったヒートポンプ式加熱装置は、冷媒と被加熱流体との間で熱交換を行なう第１熱交換器と、冷媒と空気との間で熱交換を行なう第２熱交換器と、第２熱交換器と第１熱交換器との間に設けられ、第２熱交換器から送られた冷媒を圧縮する圧縮機とを有し、ヒートポンプサイクルを構成する冷媒回路と、発熱を伴う電気部品を有し、冷媒回路の動作を制御するための制御部とを備える。冷媒回路は、第２熱交換器から冷媒が供給され、その冷媒を再び第２熱交換器に戻す中間配管をさらに有する。ヒートポンプ式加熱装置は、中間配管の経路上に設けられ、中間配管を流通する冷媒によって電気部品を冷却する冷却部と、第１熱交換器に向けて被加熱流体を供給する流体供給配管を有し、被加熱流体が流れる流体回路とをさらに備える。冷却部は、流体供給配管の経路上に設けられ、さらに流体供給配管を流通する被加熱流体によって電気部品を冷却する。冷媒回路は、第１熱交換器と第２熱交換器との間に設けられ、第１熱交換器から送られた冷媒を減圧する減圧器をさらに有する。冷媒回路は、第２熱交換器の除霜運転時には、第１熱交換器から送られた冷媒を減圧することなく第２熱交換器に供給するように設けられる。中間配管は、冷媒回路を流れる冷媒の経路上において、第２熱交換器に冷媒が流入する位置よりも第２熱交換器から冷媒が流出する位置に近い側に設けられる。流体回路は、第２熱交換器の除霜運転時には、第１熱交換器への被加熱流体の供給を停止するように設けられる。
この発明の別の局面に従ったヒートポンプ式加熱装置は、冷媒と被加熱流体との間で熱交換を行なう第１熱交換器と、冷媒と空気との間で熱交換を行なう第２熱交換器と、第２熱交換器と第１熱交換器との間に設けられ、第２熱交換器から送られた冷媒を圧縮する圧縮機とを有し、ヒートポンプサイクルを構成する冷媒回路と、発熱を伴う電気部品を有し、冷媒回路の動作を制御するための制御部とを備える。冷媒回路は、第２熱交換器から冷媒が供給され、その冷媒を再び第２熱交換器に戻す中間配管をさらに有する。ヒートポンプ式加熱装置は、中間配管の経路上に設けられ、中間配管を流通する冷媒によって電気部品を冷却する冷却部をさらに備える。
【００１２】
このように構成されたヒートポンプ式加熱装置によれば、中間配管により第２熱交換器を流れる冷媒を冷却部に導くことによって、電気部品を効率的に冷却することができる。この際、中間配管は、第２熱交換器から供給された冷媒を再び第２熱交換器に戻すように構成されるため、中間配管と圧縮機との間には第２熱交換器が存在する。このため、圧縮機で発生した振動が中間配管に伝わることが抑制され、加熱装置を簡易な構成とできる。
【００１３】
また好ましくは、ヒートポンプ式加熱装置は、第１熱交換器に向けて被加熱流体を供給する流体供給配管を有し、被加熱流体が流れる流体回路をさらに備える。冷却部は、流体供給配管の経路上に設けられ、さらに流体供給配管を流通する被加熱流体によって電気部品を冷却する。
【００１４】
このように構成されたヒートポンプ式加熱装置によれば、中間配管を流通する冷媒と、流体供給配管を流通する被加熱流体とによって、電気部品をより効率的に冷却することができる。
【００１５】
また好ましくは、中間配管は、冷却部に配索されるメイン配管と、第２熱交換器から供給された冷媒を冷却部を介さず第２熱交換器に戻す第１バイパス配管とを含む。
【００１６】
このように構成されたヒートポンプ式加熱装置によれば、第１バイパス配管に冷媒を導くことによって、冷却部において結露が生じることを防止できる。
【００１７】
また好ましくは、制御部は、電気部品を収容する筐体をさらに有する。筐体の表面には、冷却部が熱的に接続される。
【００１８】
このように構成されたヒートポンプ式加熱装置によれば、中間配管を流通する冷媒によって、筐体内部を全体的に冷却することができる。これにより、制御部の冷却効果が向上するため、加熱装置をさらに簡易な構成とできる。
【００１９】
また好ましくは、冷媒回路は、第１熱交換器と第２熱交換器との間に設けられ、第１熱交換器から送られた冷媒を減圧する減圧器をさらに有する。冷媒回路は、第２熱交換器の除霜運転時には、第１熱交換器から送られた冷媒を減圧することなく第２熱交換器に供給するように設けられる。中間配管は、冷媒回路を流れる冷媒の経路上において、第２熱交換器に冷媒が流入する位置よりも第２熱交換器から冷媒が流出する位置に近い側に設けられる。
【００２０】
また好ましくは、冷媒回路は、第１熱交換器と第２熱交換器との間に設けられ、第１熱交換器から送られた冷媒を減圧する減圧器と、第１熱交換器と第２熱交換器との間に設けられ、第１熱交換器から送られた冷媒を減圧器を介さずに第２熱交換器に導く第２バイパス配管とをさらに有する。中間配管は、冷媒回路を流れる冷媒の経路上において、第２熱交換器に冷媒が流入する位置よりも第２熱交換器から冷媒が流出する位置に近い側に設けられる。
【００２１】
このように構成されたヒートポンプ式加熱装置によれば、第２熱交換器の除霜運転時、中間配管が第２熱交換器における冷媒流入位置よりも冷媒流出位置に近い側に設けられるため、第２熱交換器において低温とされた冷媒を冷却部に供給することができる。これにより、除霜運転時であっても、電気部品を効率的に冷却することができる。
【発明の効果】
【００２２】
以上に説明したように、この発明に従えば、簡易な構成で、冷媒回路の動作を制御するための制御部に備えられる電気部品を効率的に冷却するヒートポンプ式加熱装置を提供することができる。
【図面の簡単な説明】
【００２３】
【図１】この発明の実施の形態１におけるヒートポンプ式給湯機の回路構成を示す図である。
【図２】図１中の空気熱交換器内で冷媒通路を形成する配管構成を示す分解組み立て図である。
【図３】図１中の空気熱交換器に配管を組み付ける第１工程を示す図である。
【図４】図１中の空気熱交換器に配管を組み付ける第２工程を示す図である。
【図５】図１中の空気熱交換器に配管を組み付ける第３工程を示す図である。
【図６】図１中のヒートポンプ式給湯機において、除霜運転時の回路構成を示す図である。
【図７】この発明の実施の形態２におけるヒートポンプ式給湯機の回路構成を示す図である。
【図８】この発明の実施の形態３におけるヒートポンプ式給湯機の回路構成を示す図である。
【発明を実施するための形態】
【００２４】
この発明の実施の形態について、図面を参照して説明する。なお、以下で参照する図面では、同一またはそれに相当する部材には、同じ番号が付されている。
【００２５】
（実施の形態１）
図１は、この発明の実施の形態１におけるヒートポンプ式給湯機の回路構成を示す図である。図１を参照して、本実施の形態におけるヒートポンプ式給湯機１０は、冷媒回路２０および給湯回路３０を有する。
【００２６】
冷媒回路２０は、給湯回路３０上の水を加熱するためのヒートポンプサイクルを構成する。冷媒回路２０がなす環状の循環路には、冷媒が流通される。冷媒としては、たとえば、ＨＣ（ハイドロカーボン）やＨＦＣ（ハイドロフルオロカーボン）が利用される。
【００２７】
冷媒回路２０の経路上には、圧縮機２１、水熱交換器２２、膨張弁２３および空気熱交換器２４が設けられている。
【００２８】
水熱交換器２２は、冷媒回路２０を流れる冷媒と、給湯回路３０を流れる水との間で熱交換を行なう。空気熱交換器２４は、室外に設置されている。空気熱交換器２４は、冷媒回路２０を流れる冷媒と、室外空気との間で熱交換を行なう。
【００２９】
図１中には、給湯運転時、冷媒回路２０における冷媒の流れ方向が矢印によって示されている。冷媒回路２０の経路上において、圧縮機２１は、空気熱交換器２４と水熱交換器２２との間に配置されている。圧縮機２１は、空気熱交換器２４から送られる冷媒を圧縮する。冷媒回路２０の経路上において、膨張弁２３は、水熱交換器２２と空気熱交換器２４との間に配置されている。膨張弁２３は、水熱交換器２２および空気熱交換器２４を挟んで、圧縮機２１の反対側に配置されている。膨張弁２３は、水熱交換器２２から送られる冷媒を減圧する。
【００３０】
冷媒回路２０における給湯運転時の冷媒流れについて説明すると、まず、圧縮機２１にて冷媒が断熱圧縮される。圧縮されるに従って冷媒の圧力と温度とが上昇し、高温高圧の過熱蒸気になって、冷媒は圧縮機２１から吐出される。圧縮機２１から流出した冷媒は、水熱交換器２２に流入する。冷媒は、水熱交換器２２において給湯回路３０を流れる水に放熱し、冷却されることによって、凝縮（液化）する。水熱交換器２２から流出した冷媒は、膨張弁２３に向かう。
【００３１】
膨張弁２３において、過冷却液状態の冷媒は絞り膨張され、温度と圧力とが低下して、低温低圧の気液混合状態の湿り蒸気となる。膨張弁２３から流出した冷媒は、空気熱交換器２４に向かう。膨張弁２３から送られた気液混合状態の冷媒は、空気熱交換器２４において室外空間の空気から吸熱することによって、蒸発する。その後、気相の冷媒は、圧縮機２１において再び断熱圧縮される。
【００３２】
冷媒はこのようなサイクルに従って、圧縮、凝縮、絞り膨張、蒸発の状態変化を連続的に繰り返す。
【００３３】
冷媒回路２０は、冷媒回路２０の経路上で冷媒が流れる通路（冷媒通路）を形成する冷媒配管９１、冷媒配管９２および中間配管６６を有する。
【００３４】
冷媒配管９１は、空気熱交換器２４および圧縮機２１の間を接続している。冷媒配管９１は、圧縮機２１の冷媒流入側配管である。冷媒配管９１は、空気熱交換器２４から圧縮機２１に向けて冷媒を流通させている。
【００３５】
冷媒配管９２は、水熱交換器２２および空気熱交換器２４の間を接続している。冷媒配管９２は、水熱交換器２２から空気熱交換器２４に向けて冷媒を流通させている。冷媒配管９２は、メイン配管９２ｐと、第２バイパス配管としての除霜用バイパス配管９２ｑとから構成されている。
【００３６】
メイン配管９２ｐの管路上には、膨張弁２３が設けられている。除霜用バイパス配管９２ｑの管路上には、バルブ（除霜用バイパス弁）２５が設けられている。バルブ２５は、開状態とされることによって、除霜用バイパス配管９２ｑにおける冷媒流れを許容し、閉状態とされることによって、除霜用バイパス配管９２ｑにおける冷媒流れを遮断する。後述するが、バルブ２５は、給湯運転時には閉状態とされ、除霜運転時には開状態とされる。なお、除霜運転時、膨張弁２３は閉じられる。
【００３７】
なお、冷媒回路２０において使用される各種のバルブは、電子制御によって冷媒通路を開閉操作する電磁弁である。
【００３８】
給湯回路３０には、被加熱流体としての水（たとえば、水道水）が流通する。給湯回路３０の経路上には、水熱交換器２２が設けられている。
【００３９】
給湯回路３０は、給湯回路３０の経路上で水が流れる通路を形成する給水配管３６および給湯配管３８を有する。
【００４０】
給水配管３６および給湯配管３８は、水熱交換器２２に接続されている。給水配管３６の管路上には、給水ポンプ３７が設けられている。給水ポンプ３７の駆動に伴って、水が給水配管３６を通じて水熱交換器２２に供給される。水熱交換器２２にて加熱された水（湯）は、給湯配管３８を通じて、シャワーや床暖房などの給湯端末に送られる。
【００４１】
本実施の形態におけるヒートポンプ式給湯機１０は、制御部４０および冷却部５１をさらに有する。
【００４２】
制御部４０は、冷媒回路２０の動作、特に圧縮機２１を可変速制御するための電装品として設けられている。制御部４０は、パワー半導体素子４１および電装箱４３を有する。パワー半導体素子４１は、圧縮機２１の可変速制御に伴って発熱する。電装箱４３は、筐体形状を有し、パワー半導体素子４１を収容している。電装箱４３には、パワー半導体素子４１のほかに、セメント抵抗やトランス、コイルなど各種の電気部品が収容されている。
【００４３】
冷却部５１は、パワー半導体素子４１と熱的に接続されている。冷却部５１は、冷媒回路２０を流れる冷媒を利用してパワー半導体素子４１を冷却する。本実施の形態におけるヒートポンプ式給湯機１０においては、冷却部５１が中間配管６６の経路上に設けられている。
【００４４】
中間配管６６の構造について具体的に説明する。図２は、図１中の空気熱交換器内で冷媒通路を形成する配管構成を示す分解組み立て図である。図３から図５は、図１中の空気熱交換器に配管を組み付ける工程を示す図である。
【００４５】
図１から図５を参照して、空気熱交換器２４は、フィン７１と、複数のヘアピン配管６２（６２ａ，６２ｂ，６２ｃ，６２ｄ）と、複数の渡り配管６３と、直線配管６４とを有する。
【００４６】
ヘアピン配管６２は、一方向に延びる区間と、Ｕ字状に反転する区画と、反対方向に延びる区間とが組み合わさった形状を有する。直線配管６４は、一方向に延びて形成されている。ヘアピン配管６２ａ、ヘアピン配管６２ｂ、ヘアピン配管６２ｃおよびヘアピン配管６２ｄが、挙げた順に互いに間隔を隔てて並んでいる。ヘアピン配管６２ｄに隣り合う位置には、直線配管６４が並んでいる。渡り配管６３は、Ｕ字状に湾曲する形状を有する。渡り配管６３は、隣接するヘアピン配管６２間を接続するように、溶接によってヘアピン配管６２に固定されている。
【００４７】
図３中に示すように、フィン７１には、ヘアピン配管６２が挿入される貫通孔７３が形成されている。図４中に示すように、貫通孔７３にヘアピン配管６２が挿入された状態で、ヘアピン配管６２の内側に拡管治具７６が挿入される。図５中に示すように、拡管治具７６によってヘアピン配管６２が拡径されることによって、ヘアピン配管６２がフィン７１に対して固定される。直線配管６４は、ヘアピン配管６２と同様の形態でフィン７１に固定されている。
【００４８】
中間配管６６は、その一方端がヘアピン配管６２ｄに接続され、その他方端が直線配管６４に接続されるように設けられている。中間配管６６は、空気熱交換器２４内で冷媒通路を形成する第１冷媒配管としてのヘアピン配管６２ｄから延出し、冷却部５１を通って、空気熱交換器２４内で冷媒通路を形成する第２冷媒配管としての直線配管６４に戻るように設けられている。ヘアピン配管６２ｄは、空気熱交換器２４内における冷媒流れの上流側に配置され、直線配管６４は、空気熱交換器２４内における冷媒流れの下流側に配置されている。
【００４９】
ヘアピン配管６２ａの一端６２ｇには、冷媒配管９２が接続されている。直線配管６４の他端６４ｈには、冷媒配管９１が接続されている。中間配管６６は、冷媒回路２０を流れる冷媒の経路上において、ヘアピン配管６２ａの一端６２ｇよりも直線配管６４の他端６４ｈに近い側に設けられている。すなわち、中間配管６６は、空気熱交換器２４に冷媒が流入する位置よりも空気熱交換器２４から冷媒が流出する位置に近い側に設けられている。
【００５０】
なお、以上に説明した空気熱交換器２４内の配管構造は一例であり、組み合わせる配管の数や形状、配管の取り回しなどは、適宜変更される。
【００５１】
図１を参照して、さらに本実施の形態におけるヒートポンプ式給湯機１０においては、冷却部５１が、給湯回路３０の給水配管３６の経路上に設けられている。給水配管３６は、冷却部５１を通るように配索されている。
【００５２】
このような構成により、給湯運転時、冷却部５１には、冷媒回路２０において中間配管６６を流れる冷媒と、給湯回路３０において給水配管３６を流れる水とが導かれる。これにより、圧縮機２１の駆動に伴って発熱するパワー半導体素子４１が、中間配管６６を流れる冷媒と、給水配管３６を流れる水とによって冷却される。給水配管３６を流れる水の温度は、夏期であっても３０℃を上回ることは稀であるため、パワー半導体素子４１を効率よく冷却することができる。また、仮に給水配管３６を流れる水の温度が４５℃を超えるような状況があっても、その場合には給湯運転そのものを停止するため、パワー半導体素子４１の冷却を考慮する必要はない。
【００５３】
また、本実施の形態では、中間配管６６は、圧縮機２１の冷媒流入側配管である冷媒配管９１に直接、接続されていない。圧縮機２１と中間配管６６との間は、空気熱交換器２４に固定された直線配管６４が介在する。このような構成により、圧縮機２１で発生した振動が中間配管６６に伝わることを抑制できる。これにより、中間配管６６に防振材を設ける必要がなく、ヒートポンプ式給湯機１０の部品点数を減らしたり、構造を簡易にしたりすることができる。
【００５４】
図６は、図１中のヒートポンプ式給湯機において、除霜運転時の回路構成を示す図である。
【００５５】
図６を参照して、冬期など外気温が低い場合に、空気熱交換器２４が極低温まで温度低下し、凍結する懸念が生じる。そこで、本実施の形態におけるヒートポンプ式給湯機１０では、温度検知手段によって空気熱交換器２４の凍結が検知されたときに、除霜運転を行なう。図６中には、除霜運転時、冷媒回路２０における冷媒の流れ方向が矢印によって示されている。
【００５６】
具体的には、圧縮機２１を運転したまま、バルブ２５を開状態とし、膨張弁２３を閉じる。これにより、圧縮機２１から吐出された高温高圧の冷媒が空気熱交換器２４に供給されるため、空気熱交換器２４の除霜が実施される。この際、給水ポンプ３７を停止することによって、冷媒温度が水熱交換器２２において低下することを防ぐ。
【００５７】
本実施の形態では、中間配管６６が、空気熱交換器２４に冷媒が流入する位置よりも空気熱交換器２４から冷媒が流出する位置に近い側に設けられている。このような構成によれば、除霜運転時、室外温度は冷媒温度よりも低いため、冷媒は、空気熱交換器２４を流れる間に、室外空間との熱交換によって温度低下する。このように温度低下した冷媒が、中間配管６６を通じて冷却部５１に供給されるため、給水ポンプ３７の停止にもかかわらず、パワー半導体素子４１の冷却が可能となる。
【００５８】
なお、本実施の形態では、除霜運転時に低温の冷媒を冷却部５１に供給することを意図して、中間配管６６を空気熱交換器２４における下流側に配置したが、本発明は、このような構成に限られるものではない。たとえば、除霜運転を、冷媒でなく別の熱源（電気ヒータなど）を用いて実施する場合には、中間配管６６を、空気熱交換器２４から冷媒が流出する位置よりも空気熱交換器２４に冷媒が流入する位置に近い側に設けてもよい。この場合、給湯運転時により低温の冷媒が冷却部５１に供給されるため、パワー半導体素子４１を効率的に冷却することができる。
【００５９】
以上に説明した、この発明の実施の形態１におけるヒートポンプ式加熱装置としてのヒートポンプ式給湯機１０の構造についてまとめて説明すると、本実施の形態におけるヒートポンプ式給湯機１０は、ヒートポンプサイクルを構成する冷媒回路２０と、冷媒回路２０の動作を制御するための制御部４０とを備える。冷媒回路２０は、冷媒と被加熱流体としての水との間で熱交換を行なう第１熱交換器としての水熱交換器２２と、冷媒と空気との間で熱交換を行なう第２熱交換器としての空気熱交換器２４と、空気熱交換器２４と水熱交換器２２との間に設けられ、空気熱交換器２４から送られた冷媒を圧縮する圧縮機２１とを有する。制御部４０は、冷媒回路２０の動作に伴って発熱を伴う電気部品としてのパワー半導体素子４１を有する。冷媒回路２０は、空気熱交換器２４から冷媒が供給され、その冷媒を再び空気熱交換器２４に戻す中間配管６６をさらに有する。ヒートポンプ式給湯機１０は、中間配管６６の経路上に設けられ、中間配管６６を流通する冷媒によってパワー半導体素子４１を冷却する冷却部５１をさらに備える。
【００６０】
このように構成された、この発明の実施の形態１におけるヒートポンプ式給湯機１０によれば、給湯運転および除霜運転のいずれの運転時にも、簡易な構成で、パワー半導体素子４１を効率的に冷却することができる。
【００６１】
（実施の形態２）
図７は、この発明の実施の形態２におけるヒートポンプ式給湯機の回路構成を示す図である。本実施の形態におけるヒートポンプ式給湯機は、実施の形態１におけるヒートポンプ式給湯機１０と比較して、基本的には同様の構造を備える。以下、重複する構造についてはその説明を繰り返さない。
【００６２】
図７を参照して、本実施の形態では、中間配管６６が、メイン配管６６ｐと、第１バイパス配管としての結露防止用バイパス配管６６ｑとから構成されている。
【００６３】
メイン配管６６ｐの管路上には、バルブ（冷却用電磁弁）８１ａが設けられ、結露防止用バイパス配管６６ｑの管路上には、バルブ（バイパス用電磁弁）８１ｂが設けられている。バルブ８１ａおよびバルブ８１ｂは、バルブ８１ａおよびバルブ８１ｂのいずれか一方が開状態とされた時に、バルブ８１ａおよびバルブ８１ｂのいずれか他方が閉状態とされるように操作される。これにより、メイン配管６６ｐおよび結露防止用バイパス配管６６ｑのいずれか一方に選択的に冷媒が流通される。
【００６４】
給湯運転時、室外温度ｔ１よりも、中間配管６６を流れる冷媒の温度ｔ２は低いため、両者の温度差が大きすぎると、冷却部５１が結露する懸念がある。本実施の形態では、室外温度ｔ１と冷媒温度ｔ２との差が予め定められた所定値Ｔよりも大きい（ｔ１−ｔ２＞Ｔ）場合には、バルブ８１ｂを開、バルブ８１ａを閉とする。これにより、中間配管６６に供給された冷媒は、冷却部５１を通ることなく空気熱交換器２４に戻されるため、冷却部５１における結露の発生を防ぐことができる。
【００６５】
一方、ｔ１−ｔ２≦Ｔである場合には、バルブ８１ａを開、バルブ８１ｂを閉とする。これにより、空気熱交換器２４内の冷媒を冷却部５１に導き、中間配管６６を流れる冷媒によるパワー半導体素子４１の冷却を実施する。
【００６６】
このように構成された、この発明の実施の形態２におけるヒートポンプ式給湯機によれば、実施の形態１に記載の効果を同様に奏することができる。
【００６７】
（実施の形態３）
図８は、この発明の実施の形態３におけるヒートポンプ式給湯機の回路構成を示す図である。本実施の形態におけるヒートポンプ式給湯機は、実施の形態１におけるヒートポンプ式給湯機１０と比較して、基本的には同様の構造を備える。以下、重複する構造についてはその説明を繰り返さない。
【００６８】
図８を参照して、本実施の形態では、パワー半導体素子４１を冷却する冷却部５１として、冷却部５１ｊおよび冷却部５１ｋが設けられている。冷却部５１ｊおよび冷却部５１ｋのいずれにも、中間配管６６を流れる冷媒と給水配管３６を流れる水とが導かれる。冷却部５１ｊは、電装箱４３に収容されている。冷却部５１ｋは、電装箱４３の表面に熱的に接続されている。
【００６９】
このような構成によれば、冷却部５１ｊに導かれた中間配管６６を流れる冷媒と給水配管３６を流れる水とによって、パワー半導体素子４１を冷却するとともに、冷却部５１ｋに導かれた中間配管６６を流れる冷媒と給水配管３６を流れる水とによって、電装箱４３内部の雰囲気温度を低下させる。これにより、パワー半導体素子４１のみならず、電装箱４３に収容されたセメント抵抗やトランス、コイルなどの電気部品も冷却することができる。
【００７０】
また、電気部品（特に、電解コンデンサ）の寿命は、周囲の雰囲気温度が上昇すると短くなるため、熱交換器用のファンを利用して電装箱４３の内部に外気を取り込む必要がある。しかしながら、本実施の形態では、冷却部５１ｋによって電装箱４３内部の雰囲気温度を低下させるため、電装箱４３を密閉構造にすることができる。これにより、電装箱４３の内部に水や異物が侵入することを防ぎ、制御部４０の信頼性を向上させることができる。
【００７１】
このように構成された、この発明の実施の形態３におけるヒートポンプ式給湯機によれば、実施の形態１に記載の効果を同様に奏することができる。
【００７２】
なお、以上に説明した実施の形態では、冷媒回路２０に除霜用バイパス配管９２ｑを設けたが、膨張弁２３の開度を十分に大きく設定することが可能であれば、除霜用バイパス配管９２ｑを設けることなく、膨張弁２３の開操作によって除霜運転に切り替えてもよい。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７４】
この発明は、たとえば、ヒートポンプ式給湯機に適用される。
【符号の説明】
【００７５】
１０  ヒートポンプ式給湯機、２５，８１ａ，８１ｂ  バルブ、２０  冷媒回路、２１  圧縮機、２２  水熱交換器、２３  膨張弁、２４  空気熱交換器、３０  給湯回路、３６  給水配管、３７  給水ポンプ、３８  給湯配管、４０  制御部、４１  パワー半導体素子、４３  電装箱、５１，５１ｊ，５１ｋ  冷却部、６２  ヘアピン配管、６２ｇ  一端、６３  渡り配管、６４  直線配管、６４ｈ  他端、６６  中間配管、６６ｐ，９２ｐ  メイン配管、６６ｑ  結露防止用バイパス配管、７１  フィン、７３  貫通孔、７６  拡管治具、９１，９２  冷媒配管、９２ｑ  除霜用バイパス配管。
【図１】
0006029852.tif 000002
【図２】
0006029852.tif 000003
【図３】
0006029852.tif 000004
【図４】
0006029852.tif 000005
【図５】
0006029852.tif 000006
【図６】
0006029852.tif 000007
【図７】
0006029852.tif 000008
【図８】
0006029852.tif 000009